(57)【要約】【課題】建物内空間において体感温度を好適に調整し、しかも省エネルギ効果を得る。【解決手段】建物１０において、居室１２の外壁２１には窓部２２が形成されており、その窓部２２にはサッシ戸装置２４とシャッタ装置３１とが設けられている。居室１２にはサーモグラフィ５５が設けられており、サーモグラフィ５５により人の顔や手の各表面温度が検出される。サーモグラフィ５５の検出信号は居室サーバに対して出力される。居室サーバはその検出信号に基づいて人の顔や手の各表面温度を算出し、手の表面温度に基づいて居室１２の通気を行うか否かの判定を行う。そして、通気を行う場合、サッシ戸装置２４により窓部２２を開放させるとともにシャッタカーテン３２のスラット３５を開放させる。【選択図】図１
2010249462.tif 000002
【特許請求の範囲】
【請求項１】
建物内空間の屋内外を仕切る外壁部に設けられた開口部を開閉する開閉装置と、
前記建物内空間にいる人を対象として人体表面温度を検出する表面温度検出手段と、
前記表面温度検出手段により検出された人体表面温度に基づいて前記開閉装置の動作制御を行う開閉制御手段と
を備えていることを特徴とする建物の通気システム。
【請求項２】
人体表面温度について前記開口部を開放させる通気基準温度を設定する手段を備え、
前記開閉制御手段は、前記表面温度検出手段により検出された人体表面温度が前記通気基準温度より高い場合に前記開閉装置により前記開口部を開放させることを特徴とする請求項１に記載の建物の通気システム。
【請求項３】
太陽光の照度を検出する太陽光検出手段を備え、
前記開閉制御手段は、前記表面温度検出手段により検出された人体表面温度に加えて前記太陽光検出手段により検出された太陽光の照度に基づいて前記開閉装置の動作制御を行うことを特徴とする請求項１又は２に記載の建物の通気システム。
【請求項４】
前記開口部には、該開口部から前記建物内空間へ差し込む光を遮るブラインドカーテンを有し、該ブラインドカーテンの遮光状態を調整するブラインド装置が設けられており、
前記表面温度検出手段により検出された人体表面温度に基づいて前記ブラインド装置の動作制御を行うブラインド制御手段を備えていることを特徴とする請求項１乃至３のいずれか１項に記載の建物の通気システム。
【請求項５】
人体表面温度について前記ブラインドカーテンを遮光状態に移行させるブラインド基準温度を設定する手段を備え、
前記ブラインド制御手段は、前記表面温度検出手段により検出された人体表面温度が前記ブラインド基準温度より高い場合に前記ブラインドカーテンを遮光状態に移行させることを特徴とする請求項４に記載の建物の通気システム。
【請求項６】
前記ブラインド制御手段は、前記開閉装置により前記開口部が開放されている状態下で、前記太陽光検出手段により検出された太陽光の照度が所定照度以下である場合に、前記ブラインドカーテンを非遮光状態に移行させることを特徴とする請求項４又は５に記載の建物の通気システム。
【請求項７】
外気温度を検出する外気温度検出手段を備え、
前記開閉制御手段は、前記表面温度検出手段により検出された人体表面温度に加えて前記外気温度検出手段により検出された外気温度に基づいて前記開閉装置の動作制御を行うことを特徴とする請求項１乃至６のいずれか１項に記載の建物の通気システム。
【請求項８】
前記表面温度検出手段は、人の顔及び手の各表面温度を人体表面温度として検出し、
前記開閉制御手段は、前記表面温度検出手段により検出された顔の表面温度と手の表面温度との温度差が所定値以下であることを実行条件として、前記顔の表面温度及び前記手の表面温度の少なくとも一方に基づいて前記開閉装置の動作制御を行うことを特徴とする請求項１乃至７のいずれか１項に記載の建物の通気システム。
【発明の詳細な説明】
【技術分野】
【０００１】
本発明は、建物の通気システムに関するものである。
【背景技術】
【０００２】
住宅等の建物においては、窓部などの開口部が開放されることにより屋外から建物内空間への通気が行われる。例えば特許文献１には、建物の屋根に天窓が設けられており、室内温度と外気温とに基づいて天窓を開放することにより通気を行わせ、その通気により室内温度を調整する構成が記載されている。この構成では、天窓を開放させることにより、外気温が室内温度より低い場合には室内温度を低下させることができ、外気温が室内温度より高い場合には室内温度を上昇させることができる。つまり、通気により室内温度を調整することができる。
【先行技術文献】
【特許文献】
【０００３】
【特許文献１】特開２００６−３４９３１８号公報
【発明の概要】
【発明が解決しようとする課題】
【０００４】
しかしながら、通気により調整される室内温度は、室内において実際に人が体感する温度と一致しないことがあると考えられる。例えば、室内温度が一定であっても、通気による空気の流れが室内に生じている場合と空気の流れが室内に生じていない場合とでは体感温度が異なるため、通気により室内温度が調整されていても、人は室内温度の調整が行われていないと感じてしまうことがある。したがって、建物内空間の通気を行う構成に関して改善の余地がある。
【０００５】
本発明は、建物内空間において体感温度を好適に調整し、しかも省エネルギ効果を得ることを主たる目的とする。
【課題を解決するための手段】
【０００６】
上記課題を解決するために、第１の発明は、建物内空間の屋内外を仕切る外壁部に設けられた開口部を開閉する開閉装置と、前記建物内空間にいる人を対象として人体表面温度を検出する表面温度検出手段と、前記表面温度検出手段により検出された人体表面温度に基づいて前記開閉装置の動作制御を行う開閉制御手段とを備えていることを特徴とする。
【０００７】
第１の発明によれば、人の暑さや寒さに対する感覚に合わせて建物内空間の通気状態が制御される。例えば、人体表面温度が人にとって暑さを感じている温度である場合、通気が行われることにより、たとえ建物内空間の実温度が低下しなくても人の暑さを和らげることができる。これは、通気が行われると建物内空間において空気の流れが発生し、その空気の流れによって体感温度が低下しやすくなるためである。しかも、例えばエアコンの冷房運転を行うことなく通気だけによって人に涼しさを感じさせることができるため、省エネルギ効果を得ることができる。また、人体表面温度が人にとって寒さを感じている温度である場合に通気を行わないことにより、人が感じている寒さが増長してしまうことを抑制できる。
【０００８】
以上の結果、建物内空間において体感温度を好適に調整することができ、しかも省エネルギ効果を得ることができる。
【０００９】
第２の発明では、人体表面温度について前記開口部を開放させる通気基準温度を設定する手段を備え、前記開閉制御手段は、前記表面温度検出手段により検出された人体表面温度が前記通気基準温度より高い場合に前記開閉装置により前記開口部を開放させる。
【００１０】
第２の発明によれば、通気基準温度が適宜設定されることにより、通気による人体表面温度の調整が好適に行われる。例えば、人が暑さや寒さを感じない快適な状態における人体表面温度が通気基準温度の温度として設定されると、人が暑さを感じている場合に通気が行われることになる。したがって、都度の人の暑さの感覚に合わせて通気を適宜行うことができる。
【００１１】
なお、通気基準温度は季節や時間帯、ユーザによる設定値などに基づいて設定されるとよい。
【００１２】
第３の発明では、太陽光の照度を検出する太陽光検出手段を備え、前記開閉制御手段は、前記表面温度検出手段により検出された人体表面温度に加えて前記太陽光検出手段により検出された太陽光の照度に基づいて前記開閉装置の動作制御を行う。
【００１３】
第３の発明によれば、太陽光が開口部から差し込んでいる場合、人の暑さや寒さに対する感覚だけでなく、太陽光による建物内空間の空気の温まり具合に合わせて通気状態を好適に調整することができる。
【００１４】
第４の発明では、前記開口部には、該開口部から前記建物内空間へ差し込む光を遮るブラインドカーテンを有し、該ブラインドカーテンの遮光状態を調整するブラインド装置が設けられており、前記表面温度検出手段により検出された人体表面温度に基づいて前記ブラインド装置の動作制御を行うブラインド制御手段を備えている。
【００１５】
第４の発明によれば、人体表面温度に合わせて太陽光を建物内空間へ取り込むことが可能となる。例えば、人が寒さを感じている場合に太陽光をブラインドカーテンで遮らずに取り込むことにより、建物内空間の空気を温めて寒さを和らげることができる。また、人が暑さを感じている場合にブラインドカーテンにより太陽光を遮りつつ通気を行うことによりその暑さを和らげることができる。つまり、人が暑さ及び寒さのいずれを感じていてもその感覚を和らげることができる。
【００１６】
なお、太陽光を遮りつつ通気を行うブラインドカーテンの構成としては、複数のスラットが回動可能に連結された構成が挙げられる。この構成においては、スラットの回動角度を調整することにより、スラットにより太陽光を遮りつつスラット間の隙間にて通気を行うことが可能となる。
【００１７】
第５の発明では、人体表面温度について前記ブラインドカーテンを遮光状態に移行させるブラインド基準温度を設定する手段を備え、前記ブラインド制御手段は、前記表面温度検出手段により検出された人体表面温度が前記ブラインド基準温度より高い場合に前記ブラインドカーテンを遮光状態に移行させる。
【００１８】
第５の発明によれば、ブラインド基準温度が適宜設定されることにより、太陽光による人体表面温度の調整が好適に行われる。例えば、人が暑さや寒さを感じない快適な状態における人体表面温度がブラインド基準温度として設定されると、人が暑さを感じている場合にブラインドカーテンにより太陽光を遮ることができる。ここで、ブラインドカーテンが、遮光状態にある場合に太陽光を遮りつつ通気を可能とする構成であれば、ブラインドカーテンにより太陽光を遮りつつ開閉装置により開口部を開放させて通気を行うことにより、太陽光を遮らずに通気を行う場合に比べて短時間で人に涼しさを感じさせることができる。
【００１９】
第６の発明では、前記ブラインド制御手段は、前記開閉装置により前記開口部が開放されている状態下で、前記太陽光検出手段により検出された太陽光の照度が所定照度以下である場合に、前記ブラインドカーテンを非遮光状態に移行させる。
【００２０】
第６の発明によれば、ブラインドカーテンを非遮光状態に移行させても太陽光により建物内空間の温度が上昇しにくいため、人が暑さを感じている場合にその暑さを通気によって効果的に和らげることができる。
【００２１】
なお、ブラインドカーテンが複数のスラットを開閉可能に連結させることで構成されていれば、スラットを開放させることにより通気を可能としつつ太陽光の取り込みを可能とし、スラットを閉鎖させることにより通気が規制され且つ太陽光の取り込みも規制される。この構成では、ブラインドカーテンを通じて通気を行うにはブラインドカーテンを非遮光状態に移行させる必要があるため、太陽光の照度が所定照度以下である場合にブラインドカーテンを非遮光状態に移行させることが好ましい。
【００２２】
第７の発明では、外気温度を検出する外気温度検出手段を備え、前記開閉制御手段は、前記表面温度検出手段により検出された人体表面温度に加えて前記外気温度検出手段により検出された外気温度に基づいて前記開閉装置の動作制御を行う。
【００２３】
第７の発明によれば、人体表面温度に加えて外気温度に合わせて通気を行うことにより、建物内空間において空気の流れを発生させるだけでなく建物内空間の実温度を調整することができる。この場合、建物内空間の実温度自体を体感温度となるように調整することが可能であるため、通気だけによって体感温度を調整する場合に比べて、体感温度の調整可能な範囲を拡大することができる。
【００２４】
第８の発明では、前記表面温度検出手段は、人の顔及び手の各表面温度を人体表面温度として検出し、前記開閉制御手段は、前記表面温度検出手段により検出された顔の表面温度と手の表面温度との温度差が所定値以下であることを実行条件として、前記顔の表面温度及び前記手の表面温度の少なくとも一方に基づいて前記開閉装置の動作制御を行う。
【００２５】
顔や手の表面温度が非接触で検出される場合、人の他の部位や物品を顔や手として表面温度が検出されてしまうおそれがある。この点、第１０の発明によれば、顔の表面温度と手の表面温度との温度差が正常範囲である場合、それら表面温度の少なくとも一方に基づいて通気制御が行われる。これに対して、表面温度検出手段により顔及び手以外の部位や物品の表面温度が顔や手の表面温度として検出されてしまった場合、その表面温度検出が適切ではないとして通気制御が行われない。つまり、顔や手の表面温度が正常に検出された場合に限って通気制御が行われる。したがって、建物内空間の体感温度を人の暑さや寒さの感覚に合わせて好適に調整することができる。
【図面の簡単な説明】
【００２６】
【図１】本実施形態における建物の居室周辺の概略構成を示す図。
【図２】シャッタ装置の正面図。
【図３】通気システムの電気的な構成を示すブロック図。
【図４】通気システムの空調制御処理を示すフローチャート。
【図５】居室内の温度変化をグラフにて示す図。
【発明を実施するための形態】
【００２７】
以下、本発明を具体化した一実施形態を図面に基づいて説明する。図１は建物１０の居室１２周辺の概略構成を示す図、図２はシャッタ装置３１の正面図である。なお、図１においては、スラット３５が開状態にあることを明確に示すためにスラット３５を図２におけるスラット３５より大きく図示している。
【００２８】
図１に示すように、住宅等の建物１０にはリビング等の居室１２が建物内空間として設けられており、居室１２にはエアコン１５が設置されている。エアコン１５は屋内空間の温度調整や湿度調整を行う空調装置となっており、例えば居室１２の壁面１２ａに取り付けられている。
【００２９】
居室１２において、屋外側の壁面１２ａを形成する外壁２１には開口部としての窓部２２が設けられている。窓部２２は例えば掃き出し窓となっており、開閉装置としてのサッシ戸装置２４により開閉される。サッシ戸装置２４は、水平方向に延びるレール部２５と、そのレール部２５に沿って水平方向にスライド移動する一対のサッシ戸２６とを有している。サッシ戸２６はガラス板を有するガラス戸となっており、窓部２２に対して太陽光が照射された場合、その太陽光はガラス板を透過して居室１２側へ差し込む。
【００３０】
一対のサッシ戸２６は引き違い式の窓サッシとなっており、それらサッシ戸２６は互いに重なる方向へスライド移動することにより窓部２２を開放する。サッシ戸２６が開状態にある場合、窓部２２にはサッシ枠とサッシ戸２６とにより囲まれ、且つ屋外空間と居室１２とを連通するサッシ側通気部２７が形成され、サッシ側通気部２７を通じて屋外から居室１２への通気が行われる。サッシ側通気部２７はサッシ戸２６の開放具合に応じてその大きさが変わる。例えばサッシ戸２６が全開状態にある場合、サッシ側通気部２７の大きさが最大となり、その大きさは一方のサッシ戸２６とほぼ同じ大きさとなる。
【００３１】
レール部２５には、電動モータ等を有するサッシ戸駆動部２９が設けられており、サッシ戸駆動部２９が駆動することにより一対のサッシ戸２６のうち少なくとも一方が左右いずれかの方向にスライド移動し、サッシ戸駆動部２９の駆動に合わせてサッシ戸２６の開閉が行われる。
【００３２】
窓部２２において、サッシ戸２６よりも室内側にはブラインド装置としてのシャッタ装置３１が設けられている。シャッタ装置３１は、上下方向にスライド移動するシャッタカーテン３２と、シャッタカーテン３２を巻回した状態で収納するシャッタケース３３とを有している。シャッタカーテン３２はシャッタケース３３から繰り出されることにより降下して窓部２２を閉鎖し、シャッタケース３３内に巻き取られることにより上昇し、窓部２２を開放する。シャッタケース３３は横長箱状に形成されており、窓部２２の上方に配置されている。
【００３３】
なお、窓部２２は、サッシ戸装置２４のサッシ戸２６及びシャッタ装置３１のシャッタカーテン３２のいずれかにより閉鎖される構成となっている。
【００３４】
図２に示すように、シャッタカーテン３２は、スラット３５を複数有するスラット式シャッタカーテンとなっている。各スラット３５は水平方向に延びる長尺材となっており、上下に並んでいる。スラット３５は遮光性を有しており、上下に隣接する他のスラット３５との間には隙間がなく、隙間があったとしてもその隙間は僅かなものとなっている。これによりシャッタカーテン３２に対して屋外側の斜め上方や水平方向から太陽光が照射されても、その太陽光がスラット３５間の隙間から居室１２へ差し込まないようになっている。
【００３５】
シャッタカーテン３２において、スラット３５は上下の他のスラット３５と互いに連結されている。この場合、複数のスラット３５が一体的に上下方向へスライド移動することによりシャッタカーテン３２が上昇又は下降する。
【００３６】
シャッタケース３３にはシャッタカーテン３２を巻回するための巻取ドラム３７が設けられており、複数のスラット３５のうち最上部のスラット３５が巻取ドラム３７に連結されている。巻取ドラム３７には、電動モータ等を有するドラム駆動部３８が連結されており、ドラム駆動部３８が駆動することにより巻取ドラム３７が正逆いずれかの方向に回転し、巻取ドラム３７の回転方向によってシャッタカーテン３２の巻き取り及び繰り出しのいずれかが行われる。
【００３７】
スラット３５は開閉可能な構成となっている。具体的には、スラット３５は水平方向に延びる軸部を回動軸として回動する構成となっており、スラット３５の下端部が屋外側へ移動するように回動する開動作と、下端部が居室１２側へ移動するように回動する閉動作とが可能となっている。
【００３８】
スラット３５はガイドレール４１に沿って上下方向へスライド移動する構成となっており、ガイドレール４１は窓部２２の左右両側に配置されている。ガイドレール４１にはスラット３５を開閉させるための開閉ガイド機構４３が設けられている。開閉ガイド機構４３はスラット３５の軸部に係合する係合リンク部４４を有しており、係合リンク部４４が動作することによりスラット３５が開閉する。
【００３９】
開閉ガイド機構４３には、電動モータ等を有するスラット駆動部４５が連結されており、スラット駆動部４５が駆動することにより係合リンク部４４が動作し、係合リンク部４４の動作方向によってスラット３５の開動作及び閉動作のいずれかが行われる。ここで、シャッタカーテン３２が閉状態にあって窓部２２が閉鎖されている状態では、各スラット３５のそれぞれに係合リンク部４４が係合しており、スラット駆動部４５が駆動することによりそれらスラット３５が一斉に開閉されるようになっている。
【００４０】
図１に示すように、各スラット３５が開状態にある場合、隣接するスラット３５の間には屋外空間と居室１２とを連通するスラット間通気部４７が形成される。スラット３５に加えてサッシ戸装置２４のサッシ戸２６が開放されていると、スラット間通気部４７サッシ側通気部２７を通じて居室１２の通気が行われる。この場合、スラット３５が太陽光を遮る遮光状態（例えば太陽光に対して垂直な状態）にあれば、居室１２には太陽光が取り込まれずに外気だけが取り込まれる。一方、スラット３５が太陽光を取り込む採光状態（例えば太陽光に対して平行な状態）にあれば、居室１２には太陽光及び外気の両方が取り込まれる。
【００４１】
また、サッシ戸装置２４のサッシ戸２６が閉鎖状態にある場合、スラット３５の状態に関係なく居室１２の通気は行われず、スラット３５が採光状態にあれば居室１２に太陽光が取り込まれる。
【００４２】
建物１０においては、居室１２等の建物内空間の空調を行う通気システムが構築されており、ここでは通気システムの電気的な構成について図３を参照しつつ説明する。
【００４３】
図３において、開閉制御手段及びブラインド制御手段としての居室サーバ６１は、ＣＰＵや各種メモリ等からなるマイクロコンピュータを含んで構成されており、記憶部６２とタイマ６３とを有している。記憶部６２は例えば人の生体情報を記憶することが可能であり、タイマ６３は例えば人の生体情報に合わせて時間計測を行うことが可能となっている。なお、居室サーバ６１は、例えば居室１２の壁面１２ａに取り付けられている。
【００４４】
居室サーバ６１には、表面温度検出手段としてのサーモグラフィ５５、屋外において外気温度を検出する外気温度センサ６４、雨滴を感知することで降雨を検出する降雨センサ６５及び太陽光センサ６６が接続されており、これらサーモグラフィ５５、外気温度センサ６４及び降雨センサ６５は居室サーバ６１に対して検出信号を出力する。サーモグラフィ５５は、例えば居室１２の天井面１２ｂに取り付けられており、人から放出される赤外線を感知することにより人体表面温度を検出する放射温度計となっている。なお、居室サーバ６１は、サーモグラフィ５５の検出信号から人体表面温度を取得し、その人体表面温度を生体情報として記憶部６２に記憶する。外気温度センサ６４及び降雨センサ６５は、例えば外壁２１の屋外側の面に取り付けられている。太陽光センサ６６は、例えば窓部２２の屋外側の面に取り付けられており、窓部２２に対して照射される太陽光の照度を検出する太陽光検出手段となっている。
【００４５】
また、居室サーバ６１には、エアコン１５、サッシ戸制御部６７及びシャッタ制御部６８が接続されている。居室サーバ６１は指令信号を出力することによりエアコン１５の動作制御を行う。サッシ戸制御部６７にはサッシ戸駆動部２９が接続されており、サッシ戸制御部６７は指令信号を出力することでサッシ戸駆動部２９の動作制御を行う。また、シャッタ制御部６８には、ドラム駆動部３８及びスラット駆動部４５が接続されており、シャッタ制御部６８は指令信号を出力することでそれらドラム駆動部３８、スラット駆動部４５の動作制御を行う。
【００４６】
さらに、居室サーバ６１にはホームサーバ６９が接続されており、ホームサーバ６９は居室サーバ６１と同様にＣＰＵや各種メモリ等からなるマイクロコンピュータを含んで構成されている。ホームサーバ６９には居室サーバ６１の他にトイレサーバや風呂サーバが接続されており、ホームサーバ６９や他のサーバにより健康管理ネットワークが構築されている。ホームサーバ６９や居室サーバ６１、他のサーバは、健康管理ネットワークを介して生体情報を共有しており、サーモグラフィ５５により検出された生体情報としての人体表面温度の他にも、例えば腕時計に内蔵された生体センサにより検出された生体情報のやり取りを行っている。
【００４７】
なお、居室サーバ６１には、居住者に通気システムに関する情報を表示するための操作盤が接続されていてもよい。操作盤は、表示モニタが居住者の視認可能となるように例えば居室１２の壁面１２ａに取り付けられており、ユーザインタフェースとしての役割を果たすことになる。
【００４８】
次に、居室サーバ６１によって実行される通気システムの空調制御処理について、図４のフローチャートを参照しつつ説明する。なお、本制御処理は所定の時間周期で実行される。
【００４９】
図４において、ステップＳ１０１では、サーモグラフィ５５、外気温度センサ６４、降雨センサ６５及び太陽光センサ６６の各検出信号を取得する。ステップＳ１０２では、サーモグラフィ５５の検出信号に基づいて人の顔及び手の温度を人体表面温度として算出する。具体的には、サーモグラフィ５５の検出信号に基づいて居室１２の熱分布図を作成し、熱分布図に基づいて顔認識処理を行う。熱分布図においては人の顔や手が表面温度の高い部分として示されるため、顔から所定の離間距離以内に存在する表面温度の高い部分を手として特定し、それら顔及び手の各表面温度を取得する。
【００５０】
ステップＳ１０３では、算出した人体表面温度が正常値であるか否かを判定する。ここでは、顔及び手の各表面温度の温度差を算出するとともにその温度差が所定温度差以上であるか否かを判定し、温度差が所定温度差（例えば３℃）以上である場合、算出エラーとしてそのまま制御処理を終了する。これにより、例えば加熱された鍋やマグカップなどを人が手に持っている場合にそれら鍋やマグカップの温度を手の表面温度として特定してしまうことを回避できる。これは、顔の表面温度と鍋やマグカップなどの温度とでは温度差が異常に大きい値として算出されるためである。したがって、顔及び手の各表面温度の温度差が異常に大きい場合、そのまま本制御処理を終了することにより、シャッタ装置３１やサッシ戸装置２４などに対して正常ではない制御を行ってしまうことを回避できる。
【００５１】
ステップＳ１０４では、居室１２の温度調整を行うか否かを判定する。ここでは、人体表面温度が基準表面温度の許容範囲に入っているか否かを判定し、許容範囲に入っていなければ居室１２の温度調整を行うとする。例えば、手の表面温度に基づいて判定を行う場合、基準表面温度の許容範囲を３４±０．５℃（３３．５〜３４．５℃の範囲）とし、手の表面温度が許容範囲の上限（３４．５℃）より高ければ人が暑さを感じているとして、体感温度を低下させると判定する。一方、手の表面温度が許容範囲の下限（３３．５℃）より低ければ人が寒さを感じているとして、体感温度を上昇させると判定する。手の表面温度が基準表面温度の許容範囲内であれば体感温度が人にとって快適であるとして、温度調整を行わないと判定する。
【００５２】
ここで、基準表面温度の許容範囲の上限値が通気基準温度及びブラインド基準温度に相当する。なお、通気基準温度とブラインド基準温度とは異なる値に設定されていてもよい。
【００５３】
ちなみに、顔の表面温度は手の表面温度に比べて温度変化が小さいと考えられ、顔の表面温度が基準表面温度の許容範囲内であっても人は暑さを若干感じていることがある。また、手の表面温度が許容範囲内であってもその人の体格によっては暑さや寒さを感じることがある。したがって、人が暑さや寒さを感じているか否かの判定については、個々の人に対応して個別に判定基準の許容範囲を設定しておいてもよい。また、複数の検出信号からそれぞれ取得した複数の表面温度の平均値を平均表面温度として算出し、その平均表面温度に基づいて判定を行ってもよい。
【００５４】
居室１２の温度調整を行わない場合、そのまま本制御処理を終了し、居室１２の温度調整を行う場合、ステップＳ１０５に進み、降雨センサ６５の検出信号に基づいて雨が降っているか否かを判定する。雨が降っていない場合、ステップＳ１０６に進み、外気温度センサ６４の検出信号に基づいて外気温度を取得し、その外気温度が通気に適しているか否かを判定する。例えば、人が暑さを感じていれば外気温度が所定の基準室内温度より低いか否かを判定し、低ければ外気温度が通気に適していると判定する。一方、人が寒さを感じていれば外気温度が所定の基準室内温度より高いか否かを判定し、高ければ外気温度が通気に適していると判定する。なお、例えば、冬季であれば所定の基準室内温度を２０℃にとし、夏季であれば所定の基準室内温度を２８℃とする。
【００５５】
居室１２の温度調整を行う場合に、雨が降っておらず且つ外気温度が通気に適していれば、ステップＳ１０７に進み、通気処理を行う。通気処理ではサッシ戸２６を開放させるとともにシャッタ装置３１のスラット３５を開放させ、屋外空間と居室１２との間で通気を行わせる。このとき、人が寒さを感じている場合には、外気により居室１２の温度を上昇させ、人に暖かさを感じさせることができる。なお、スラット３５が採光状態となるようにスラット角度を調整すれば、太陽光を居室１２に取り込むことにより居室１２の体感温度を上昇させることができる。
【００５６】
一方、人が暑さを感じている場合には、外気により居室１２の温度を低下させる。また、外気により居室１２の温度が低下しなくても、通気により居室１２内に空気の流れが生じると居室の体感温度が低下する。これにより、人に涼しさを感じさせることができる。なお、通気を行う場合には、スラット３５が遮光状態となるようにスラット角度を調整すれば、太陽光が居室１２へ取り込まれないため、太陽光によって居室１２の体感温度が上昇してしまうことを抑制できる。この場合、太陽光が居室１２内へ差し込む場合に比べて短時間で人に涼しさを感じさせることができる。
【００５７】
これに対して、雨が降っている場合（ステップＳ１０５がＹＥＳ判定の場合）や、雨が降っていなくても外気温度が通気に適していない場合（ステップＳ１０６がＮＯ判定の場合）は、居室１２の通気を行わないとして、ステップＳ１０８に進む。これにより、雨が窓部２２を通じて居室１２へ降り込むことを回避できる。
【００５８】
ステップＳ１０８では、居室１２に太陽光を取り込むか否かを判定する。ここでは、太陽光センサ６６の検出信号に基づいて太陽光の照度や太陽の高度を算出するとともに、太陽光の取り込みが可能であるか否かを判定し、太陽光の取り込みが可能であり且つ人が寒さを感じている場合に太陽光を取り込むとする。また、人が寒さを感じていても太陽光の取り込みが可能ではない場合や、人が寒さを感じていない場合に太陽光を取り込まないとする。
【００５９】
太陽光を取り込む場合、ステップＳ１０９に進み、太陽光取り込み処理を行う。太陽光取り込み処理では、サッシ戸２６を閉鎖状態のままシャッタ装置３１のスラット３５を開放させて採光状態に移行させる。これにより、通気を行わずにスラット間通気部４７から居室１２内に太陽光を取り込む。
【００６０】
一方、通気も行わず太陽光も取り込まない場合、ステップＳ１１０に進み、エアコン運転処理を行う。エアコン運転処理では、人が暑さを感じている場合にエアコン１５に冷房運転を行わせ、人が寒さを感じている場合にエアコン１５に暖房運転を行わせ、居室１２に外気及び太陽光を取り込まずに、居室１２の温度を人にとって快適な温度に調整する。
【００６１】
続いて、通気システムにより空調制御処理が行われた場合の居室１２内の温度変化について、図５を参照しつつ説明する。図５は、居室１２内の温度変化を示すタイムチャートであり、（ａ）に夏季の場合を示し、（ｂ）に冬季の場合を示す。
【００６２】
図５（ａ）において、夏季の昼間のように、外気温度が基準室内温度（２８℃）より高くかつ居室１２にいる人の手の表面温度が基準表面温度の許容範囲（３３．５〜３４．５℃）より高い（人が暑さを感じる）場合、ｔ１１〜ｔ１２の期間では、サッシ戸２６により窓部２２を閉鎖させるとともにシャッタカーテン３２のスラット３５を開放させて遮光状態に移行させ、エアコン１５に冷房運転を行わせる。この場合、居室１２への外気及び太陽光が取り込まれないため、冷房運転により居室１２の体感温度を効率良く低下させることができる。これにより、手の表面温度が低下し、人の暑さを和らげることができる。しかも、スラット３５が閉状態ではなく遮光状態とされるため、居室１２内を外光により明るくすることができる。
【００６３】
手の表面温度が基準表面温度の許容範囲内まで低下した場合、ｔ１２〜ｔ１３の期間においては、居室１２への外気及び太陽光の取り込みを行わない状態を保持しつつ、エアコン１５の冷房運転を停止させる。これにより、省エネルギ効果を得ることができる。
【００６４】
エアコン１５の冷房運転停止に伴って手の表面温度が基準表面温度の許容範囲より上昇し、夕方になって外気温度が基準室内温度まで下がった場合、ｔ１３〜ｔ１４の期間において、サッシ戸２６を開放させる。この場合、外気を取り込むことにより居室１２の温度が下がるとともに居室１２内に空気の流れが生じ、体感温度が低下する。その結果、手の表面温度が下がり、人の暑さを和らげることができる。
【００６５】
ｔ１４以降は、夜間になって居室１２の温度が上昇しにくくなり、防犯を目的としてサッシ戸２６を閉鎖させるとともにシャッタカーテン３２のスラット３５を閉状態に移行させても、手の表面温度は基準表面温度の許容範囲内にて維持される。
【００６６】
図５（ｂ）において、冬季の昼間のように、外気温度が基準室内温度（２０℃）より高く且つ居室１２にいる人の手の表面温度が基準表面温度の許容範囲（３３．５〜３４．５℃）より低い（人が寒さを感じる）場合、ｔ２１〜ｔ２２の期間では、サッシ戸２６を開放させるとともにシャッタカーテン３２のスラット３５を開放させて採光状態に移行させることにより、居室１２への外気及び太陽光の取り込みを行い、居室１２の体感温度を上昇させる。これにより、手の表面温度が上昇し、人の寒さを和らげることができる。しかも、エアコン１５の暖房運転を行わないため、省エネルギ効果を得ることができる。
【００６７】
手の表面温度が基準表面温度の許容範囲内まで上昇した場合、ｔ２２〜ｔ２３の期間においては、居室１２へ外気及び太陽光を取り込む状態を保持する。
【００６８】
夕方になって外気温度が基準室内温度まで下がり、それに伴って手の表面温度が基準表面温度の許容範囲より低下した場合、ｔ２３〜ｔ２４の期間において、サッシ戸２６を閉鎖させて外気の取り込みを停止するとともにエアコン１５に暖房運転を行わせ、シャッタカーテン３２のスラット３５は開状態にて保持することにより太陽光を居室１２に継続して取り込み、居室１２の体感温度を上昇させる。これにより、手の表面温度が上昇し、人の寒さを和らげることができる。
【００６９】
ｔ２４以降は、夜間の防犯を目的としてシャッタカーテン３２のスラット３５を閉状態に移行させ、手の表面温度が基準表面温度の許容範囲より低下しなければエアコン１５の暖房運転を停止させる。
【００７０】
以上詳述した本実施形態によれば、以下の優れた効果が得られる。
【００７１】
エアコン１５やサッシ戸装置２４、シャッタ装置３１の各動作制御が人の手の表面温度に基づいて行われるため、人が寒さを感じている場合に居室１２の体感温度を上昇させることや、人が暑さを感じている場合に居室１２の体感温度を低下させることができる。つまり、人の寒さや暑さの感覚に合わせて居室１２の空調を行うことができる。しかも、天気や外気温度によってはエアコン１５による温度調整を行わなくても、シャッタ装置３１及びサッシ戸２６装置による通気や太陽光の取り込みによって居室１２の体感温度を調整することができる。以上の結果、居室１２の体感温度を好適に調整することができ、しかも省エネルギ効果を得ることができる。
【００７２】
人の手の表面温度が基準表面温度の許容範囲より高い場合、外気温度が基準室内温度より低ければサッシ戸２６の開放及びシャッタカーテン３２のスラット３５の開放により通気が行われるため、居室１２の体感温度を低下させることができる。つまり、人の感じている暑さを和らげることができる。また、人の手の表面温度が基準表面温度の許容範囲より低い場合、外気温度が基準室内温度より高ければ通気が行われるため、居室１２の体感温度を上昇させることができる。つまり、人の感じている寒さを和らげることができる。換言すれば、人が暑さを感じているにもかかわらず温かい外気が居室１２に取り込まれることや、人が寒さを感じているにもかかわらず冷たい外気が居室１２に取り込まれることがない。
【００７３】
人の手の表面温度が基準表面温度の許容範囲より低い場合、シャッタカーテン３２のスラット３５の開放により太陽光を居室１２に取り込むことが可能となる。したがって、太陽光により居室１２の体感温度を上昇させることができる。その結果、人の感じている寒さを効率良く和らげることができる。また、太陽光の取り込みと通気とが両方とも行われている場合、太陽光により暖められた空気を居室１２に行き渡らせることが可能となる。したがって、居室１２において一部分ではなく全体を対象として体感温度を上昇させることができる。
【００７４】
人の顔や手の表面温度がサーモグラフィ５５により検出されるため、例えば人体表面温度を検出する専用装置を人体に取り付ける構成とは異なり、人に煩わしさを感じさせることなく居室サーバ６１により顔や手の表面温度を算出することができる。また、顔の表面温度と手の表面温度とを比較することにより、算出エラーがあるか否かを判定するため、人が手で鍋等を持っている場合などにその鍋の温度に合わせてサッシ戸装置２４やシャッタ装置３１の動作制御が行われてしまうことを回避できる。
【００７５】
窓部２２を通じての居室１２の通気が行われる場合、サッシ戸２６が開放されるとともにシャッタカーテン３２のスラット３５が開放される。この場合、窓部２２はシャッタカーテン３２により閉鎖されているため、例えば不審者が窓部２２から居室１２へ侵入することに対して抑止力を発揮できる。また、シャッタカーテン３２において通気が行われるスラット間通気部４７はスラット３５間の隙間となっているため、不審者がスラット間通気部４７から侵入しようとしてもできないようになっている。したがって、窓部２２を通じて居室１２の通気を行う構成であっても防犯性能の低下を抑制できる。
【００７６】
（他の実施形態）
本発明は上記実施形態の記載内容に限定されず、例えば次のように実施してもよい。
【００７７】
（１）居室１２において外壁２１に開口部としての窓部２２が複数設けられていてもよい。例えば、居室１２において居室空間を挟んで対向する外壁２１に窓部２２がそれぞれ形成されており、各窓部２２にサッシ戸装置２４がそれぞれ設けられている構成とする。この例では、居室１２の通気を行う場合に、各サッシ戸装置２４により各窓部２２をそれぞれ開放させる。これにより、各窓部２２の一方を通じて外気が居室１２に取り込まれるとともに、他方を通じて居室１２内の空気が屋外へ放出される。この場合、１つの窓部２２だけを通じて居室１２の通気が行われる場合に比べて、居室１２に対して空気が出入りしやすくなり、ひいては居室１２において空気の流れが発生しやすくなる。その結果、通気を開始した後に速やかに人に空気の流れを感じさせることができ、人の体感温度を短時間で調整することができる。
【００７８】
（２）居室サーバ６１には、天気情報をインターネットなどから取得可能な通信部が電気的に接続されていてもよい。この場合、居室サーバ６１は、外気温度や太陽光の照度などに加えて、通信部から取得した天気予報に基づいてサッシ戸装置２４やシャッタ装置３１の動作制御を行うことができる。
【００７９】
（３）建物１０において、外壁２１に設けられた出入口が開口部とされ、出入口を開閉する扉体装置が開閉装置として設けられていてもよい。この場合でも、人体表面温度に合わせて扉体装置の動作制御を行うことにより、居室１２の体感温度を好適に調整することができる。
【００８０】
（４）シャッタカーテン３２において各スラット３５は個別に開閉動作してもよい。この場合、シャッタカーテン３２の一部で外気及び太陽光を居室１２内に取り込み、他の部分で外気を取り込まず太陽光を遮ることができる。つまり、開放させるスラット３５の数を変えることにより居室１２に取り込む太陽光の量を調整することができる。
【００８１】
（５）シャッタカーテン３２においてスラット３５が回動することにより開閉する構成としたが、スラット３５がスライド移動することにより開閉する構成としてもよい。例えば、上下に隣接するスラット３５のうち一方のスラット３５が他方のスラット３５と重なる位置へスライド移動する構成とする。この構成でも、スラット３５を開放させて外気及び太陽光を居室１２内へ取り込むことができる。
【００８２】
（６）窓部２２において、シャッタ装置３１はサッシ戸２６よりも屋外側に設けられていてもよい。
【００８３】
（７）シャッタカーテン３２は、上下方向に延びるスラットが左右に並んだ状態で互いに連結されることにより構成されていてもよい。要は、シャッタカーテン３２は太陽光など屋外から窓部２２に照射される光を遮るブラインドカーテンの機能を有していればよい。
【００８４】
（８）人体表面温度は、接触式の温度センサにより検出されてもよい。例えば、温度センサが腕時計に設けられており、その温度センサと居室サーバ６１との無線通信が可能な構成とする。
【００８５】
（９）サッシ戸制御部６７及びシャッタ制御部６８の少なくとも一方が居室サーバ６１に変わって通気システムの空調制御処理を行う構成としてもよい。例えば、サッシ戸制御部６７をサッシ戸装置２４に関する空調制御処理を行う開閉制御手段とし、シャッタ制御部６８をシャッタ装置３１に関する空調制御処理を行うブラインド制御手段としてもよい。
【符号の説明】
【００８６】
１０…建物、１２…建物内空間としての居室、２２…開口部としての窓部、２４…開閉装置としてのサッシ戸装置、３１…ブラインド装置としてのシャッタ装置、３２…ブラインドカーテンとしてのシャッタカーテン、５５…表面温度検出手段としてのサーモグラフィ、６１…開閉制御手段及びブラインド制御手段としての居室サーバ、６４…外気温度検出手段としての外気温度センサ、６６…太陽光検出手段としての太陽光センサ。
【図１】
2010249462.tif 000003
【図２】
2010249462.tif 000004
【図３】
2010249462.tif 000005
【図４】
2010249462.tif 000006
【図５】
2010249462.tif 000007